(57)【要約】【課題】医薬品に関する緊急安全性情報の配信を早期に行える緊急安全性情報の自動配信システムおよびプログラムを提供する。【解決手段】緊急安全性情報の自動配信システムである安全性情報サーバ１０は、データ抽出部３および緊急安全性情報出力部８を備え、緊急安全性情報データベース２ａ、薬剤服用情報データベース２ｂ、および患者サーチ結果データベース２ｃを格納する。データ抽出部３および緊急安全性情報出力部８は、緊急安全性情報データベース２ａにデータが入力されることに応じて、すなわち緊急安全性情報データベース２ａにデータが入力されるとすぐに、その緊急安全性情報の対象となる患者に、その連絡内容を配信する。【選択図】図１
2008234289.tif 000002
【特許請求の範囲】
【請求項１】
外部の通信ネットワークに対して情報の送受信を行う、ネットワークインタフェースと、
医薬品を表す情報と、連絡内容を表す情報とを含む、医薬品に関する緊急安全性情報を入力として受け取る、データ入力部と、
前記医薬品を表す前記情報と、前記連絡内容を表す前記情報とを関連付けて格納する、緊急安全性情報データベースと、
調剤された医薬品を表す情報と、その調剤された医薬品に関連する患者に関連する情報とを関連付けて格納する、薬剤服用情報データベースと、
前記緊急安全性情報が入力されることに応じて、前記医薬品を表す前記情報に基づいて前記薬剤服用情報データベースを参照するデータ抽出部と、
前記データ抽出部による前記参照の結果に応じて、前記ネットワークインタフェースを介して前記連絡内容を出力する、緊急安全性情報出力部と
を備える、緊急安全性情報の自動配信システム。
【請求項２】
前記データ抽出部は、前記薬剤服用情報データベースを参照して、前記緊急安全性情報に含まれる前記医薬品を表す情報に関連付けられた前記患者に関連する前記情報を抽出し、
前記緊急安全性情報出力部による前記連絡内容の前記出力は、前記抽出された前記情報に基づいて行われる
請求項１に記載の緊急安全性情報の自動配信システム。
【請求項３】
前記緊急安全性情報の自動配信システムは、前記患者からの返答を受信する返答受信部をさらに備える、請求項２に記載の緊急安全性情報の自動配信システム。
【請求項４】
前記緊急安全性情報出力部は、前記患者からの前記返答の状態に基づいて警告表示を行う、請求項３に記載の緊急安全性情報の自動配信システム。
【請求項５】
前記緊急安全性情報出力部による前記連絡内容の前記出力は、電子メールによって行われる、請求項１〜４のいずれか一項に記載の緊急安全性情報の自動配信システム。
【請求項６】
外部の通信ネットワークに対して情報の送受信を行う、ネットワークインタフェースと、
医薬品に関する緊急安全性情報に含まれる、前記医薬品を表す情報と、連絡内容を表す情報とを関連付けて格納する、緊急安全性情報データベースと、
調剤された医薬品を表す情報と、その調剤された医薬品に関連する患者に関連する情報とを関連付けて格納する、薬剤服用情報データベースと
を備えるシステムを、緊急安全性情報の自動配信システムとして機能させる、緊急安全性情報の自動配信プログラムであって、
前記システムに、
前記緊急安全性情報を入力として受け取らせ、
前記緊急安全性情報が入力されることに応じて、前記医薬品を表す前記情報に基づいて前記薬剤服用情報データベースを参照させ、
前記参照の結果に応じて、前記ネットワークインタフェースを介して前記連絡内容を出力させる
緊急安全性情報の自動配信プログラム。
【発明の詳細な説明】
【技術分野】
【０００１】
本発明は、医薬品に関する緊急安全性情報を自動的に配信するための、自動配信システムおよびプログラムに関する。
【背景技術】
【０００２】
一般に処方され調剤されている医薬品について、製薬会社から緊急安全性情報が発行される場合がある。緊急安全性情報とは、たとえば重大な副作用等、医薬品の安全性についての緊急かつ重要な情報のことであり、対象とする医薬品に関する情報と、服用者である患者に伝達されるべき連絡内容に関する情報とを含む。
この緊急安全性情報は、製薬会社から厚生労働省を経由して薬局等の医療機関に伝達され、これを受け取った薬局等が、対象となる患者を調査し、各患者への連絡を行う。このような患者の調査および対象患者への連絡は、たとえば薬剤師または薬局の事務員等により、手作業で行われている。
【０００３】
また、従来、薬局から患者への連絡手段として、電子メールを自動的に送信するシステムが知られている。たとえば特許文献１の服薬管理システムは、予め薬剤の使用時刻を設定しておき、設定された時刻になると、自動的に電子メールを患者に送信する。また、副作用が発現しやすい時期も設定しておき、予め決められた時期になると同様に電子メールを送信する。
【０００４】
【特許文献１】特開２００３−２９６４５４号公報
【発明の開示】
【発明が解決しようとする課題】
【０００５】
しかしながら、従来の方法では、緊急安全性情報の配信を早期に行うことができないという問題があった。
たとえば、手作業による連絡では、対象となる患者の調査および連絡に時間を要する。また、たとえば、特許文献１の服薬管理システムのような自動送信システムであっても、電子メール送信の時刻およびその内容を、調剤時に決定して入力しておく必要がある。すなわち、ある医薬品が調剤され患者が服用を開始した後に、副作用の発覚等により緊急安全性情報が発行されたような場合であっても、電子メールは決められた時刻にしか送信されず、また、その内容も変更できないので、緊急安全性情報を患者に伝達することができない。
このようにして緊急安全性情報の配信に遅れが生じると、医薬品の副作用等による医療事故が発生する危険性が高くなる。
【０００６】
この発明は、このような問題点を解決するためになされたものであり、緊急安全性情報の配信を早期に行える、緊急安全性情報の自動配信システムおよびプログラムを提供することを目的とする。
【課題を解決するための手段】
【０００７】
上述の問題点を解決するため、この発明に係る緊急安全性情報の自動配信システムは、外部の通信ネットワークに対して情報の送受信を行う、ネットワークインタフェースと、医薬品を表す情報と、連絡内容を表す情報とを含む、医薬品に関する緊急安全性情報を入力として受け取る、データ入力部と、医薬品を表す情報と、連絡内容を表す情報とを関連付けて格納する、緊急安全性情報データベースと、調剤された医薬品を表す情報と、その調剤された医薬品に関連する患者に関連する情報とを関連付けて格納する、薬剤服用情報データベースと、緊急安全性情報が入力されることに応じて、医薬品を表す情報に基づいて薬剤服用情報データベースを参照するデータ抽出部と、データ抽出部による参照の結果に応じて、ネットワークインタフェースを介して連絡内容を出力する、緊急安全性情報出力部とを備える。
【０００８】
データ抽出部は、薬剤服用情報データベースを参照して、緊急安全性情報に含まれる医薬品を表す情報に関連付けられた患者に関連する情報を抽出し、緊急安全性情報出力部による連絡内容の出力は、抽出された情報に基づいて行われてもよい。
緊急安全性情報の自動配信システムは、患者からの返答を受信する返答受信部をさらに備えてもよい。
緊急安全性情報出力部は、患者からの返答の状態に基づいて警告表示を行ってもよい。
緊急安全性情報出力部による連絡内容の出力は、電子メールによって行われてもよい。
【０００９】
また、この発明に係る、緊急安全性情報の自動配信プログラムは、外部の通信ネットワークに対して情報の送受信を行う、ネットワークインタフェースと、医薬品に関する緊急安全性情報に含まれる、医薬品を表す情報と、連絡内容を表す情報とを関連付けて格納する、緊急安全性情報データベースと、調剤された医薬品を表す情報と、その調剤された医薬品に関連する患者に関連する情報とを関連付けて格納する、薬剤服用情報データベースとを備えるシステムを、緊急安全性情報の自動配信システムとして機能させる、緊急安全性情報の自動配信プログラムであって、システムに、緊急安全性情報を入力として受け取らせ、緊急安全性情報が入力されることに応じて、医薬品を表す情報に基づいて薬剤服用情報データベースを参照させ、参照の結果に応じて、ネットワークインタフェースを介して連絡内容を出力させる。
【発明の効果】
【００１０】
この発明に係る緊急安全性情報の自動配信システムおよびプログラムによれば、データ抽出部および緊急安全性情報出力部は、緊急安全性情報データベースにデータが入力されるとすぐに、その緊急安全性情報の対象となる患者に、その連絡内容を配信する。このため、緊急安全性情報の配信を即座に行うことができ、医療事故をより確実に防止することができる。
【発明を実施するための最良の形態】
【００１１】
以下、この発明の実施の形態を添付図面に基づいて説明する。
実施の形態１．
図１に、本発明に係る緊急安全性情報の自動配信システムである、安全性情報サーバ１０を含む構成を示す。安全性情報サーバ１０は、薬局に設置され、薬剤師または薬局の事務員等が使用するコンピュータである。安全性情報サーバ１０は周知のコンピュータとしての構成を有し、使用者からの入力を受け取るデータ入力部１と、使用者に出力を行うデータ表示部５と、演算を行う演算手段２０と、情報を格納する記憶手段３０とを備える。データ入力部１はキーボードおよびマウスを含み、データ表示部５はディスプレイおよびプリンタを含み、演算手段２０はＣＰＵ（中央処理装置）を含み、記憶手段３０はメモリおよびＨＤＤ（ハードディスクドライブ）を含む。
【００１２】
また、記憶手段３０は、データベース２を格納する。データベース２は、緊急安全性情報データベース２ａ、薬剤服用情報データベース２ｂ、および患者サーチ結果データベース２ｃを含むが、これらの構成については図２〜図４を用いて後述する。
演算手段２０は、記憶手段３０に格納される、緊急安全性情報の自動配信プログラム（図示せず）を実行することによって、後述のようなデータ抽出部３、返答受信部７、および緊急安全性情報出力部８として機能する。すなわち、安全性情報サーバ１０は、このプログラムを実行することによって、緊急安全性情報の自動配信システムとして機能する。
【００１３】
安全性情報サーバ１０は、外部の通信ネットワークに対する入力装置と出力装置とを兼ねるネットワークインタフェース（図示せず）を備え、このネットワークインタフェースを介して通信ネットワーク４に接続されている。このネットワークインタフェースが、通信ネットワーク４に対して情報の送受信を行う。安全性情報サーバ１０は、通信ネットワーク４に電子メールの送信を行う機能を有する。通信ネットワーク４は、公衆通信ネットワークであり、たとえばインターネットである。
【００１４】
通信ネットワーク４には、安全性情報サーバ１０と同様にして複数の患者ＰＣ６が接続されている。患者ＰＣ６は、各患者の家庭等に設置され、患者等が使用するコンピュータである。ただし、患者ＰＣ６は、通信ネットワーク４を介して電子メールを送受信する機能を有するものであればコンピュータでなくともよく、たとえば携帯電話やＰＤＡ等であってもよい。
【００１５】
図２に、緊急安全性情報データベース２ａの構成の例を示す。これは、医薬品に関する緊急安全性情報に含まれる情報を、関連付けて格納する、表形式のデータベースである。図２には行Ｒ１および行Ｒ２を含む２行のデータが示されている。この内容は、薬剤師または薬局の事務員等が、発行された緊急安全性情報に従って、安全性情報サーバ１０のデータ入力部１を介して入力するものである。
【００１６】
緊急安全性情報データベース２ａに含まれる項目を以下に説明する。
「情報名」は、緊急安全性情報を特定するための名称を表す。
「医薬品名」は、その緊急安全性情報の対象となる医薬品の名称を表す。ここで、この「医薬品名」は、その医薬品を一意に決定するものである。これは、薬価コードあるいはＹＪコードと呼ばれる、１２桁の数字列からなる医薬品を表すコードと一対一に対応する。たとえば、医薬品名「Ａ錠１００ｍｇ」、「Ａ錠２００ｍｇ」、および「Ｂ剤」は、それぞれ、薬価コード「１２３４５６７８１０００」、「１２３４５６７８２０００」、「８７６５４３２１９９９９」に対応する。なお、図２には示さないが、この薬価コードが緊急安全性情報データベース２ａの項目として含まれていてもよい。
【００１７】
「連絡内容」は、その緊急安全性情報に関して薬局から患者に連絡されるべき内容を表す。「緊急度」は、その緊急安全性情報をどの程度急いで患者に伝達すべきかを表す。
「延長期間」は、その緊急安全性情報について、該当する医薬品の服用期間の余裕日数を表す。処方せんには医薬品の服用時期が記載されているが、一般に患者は処方せんに記載された服用間隔の指定に厳密に従うとは限らず、服用忘れ等が発生する場合がある。このような場合、調剤された医薬品の服用が実際に完了する日は、調剤日および服用間隔に基づいて算出された予想完了日よりも後になる。この「延長期間」という項目は、このような遅れを想定する基準を表す。
【００１８】
図３に、薬剤服用情報データベース２ｂの構成の例を示す。これは、薬局において調剤された医薬品と、その医薬品に関する情報とを関連付けて格納する、表形式のデータベースである。この内容は、薬局で調剤された医薬品ごとに、薬剤師または薬局の事務員等が、安全性情報サーバ１０のデータ入力部１を介して入力するものである。
【００１９】
薬剤服用情報データベース２ｂに含まれる項目を以下に説明する。
「患者名」は、その医薬品が処方および調剤された患者の氏名を表す。「調剤日」は、その医薬品が調剤された日付を表す。
「処方内容」は、その医薬品の名称、すなわち医薬品名を表す。この医薬品名は、たとえば「Ａ錠１００ｍｇ」、「Ｂ剤」等と指定される。また、この項目は、図２の緊急安全性情報データベース２ａにおける「医薬品名」と同様に、その医薬品を一意に決定するものであり、薬価コードと一対一に対応する。また、薬価コードが薬剤服用情報データベース２ｂの項目として含まれていてもよい。
「日数」は、その医薬品が服用されるべき期間を表す。「服用完了日」は、その医薬品の服用が完了すると想定される日付を表す。この「服用完了日」は、「調剤日」を起算日とし、「日数」に従って算出される。
【００２０】
図４に、患者サーチ結果データベース２ｃの構成の例を示す。これは、緊急安全性情報に関連する医薬品を服用している患者と、その患者に関する情報とを関連付けて格納する、表形式のデータベースである。この内容は、データ抽出部３が、緊急安全性情報データベース２ａおよび薬剤服用情報データベース２ｂに基づいて作成するものであるが、その動作の詳細については図５を用いて後述する。
【００２１】
患者サーチ結果データベース２ｃに含まれる項目を以下に説明する。
「患者名」、「調剤日」、「処方内容」および「服用完了日」は、図３の薬剤服用情報データベース２ｂに含まれるものと同様である。
「緊急度」は、図２の緊急安全性情報データベース２ａに含まれるものと同様である。
「服用状態」は、現時点において、患者がその医薬品を服用中であるかどうかの想定される状態を表す。現時点の日付が服用完了日と同一またはそれ以前であれば、服用状態は「服用中」である。現時点の日付が服用完了日より後であり、かつ、服用完了日に延長期間（緊急安全性情報データベース２ａにおいて指定されるもの。図２参照）を加えたものと同一またはそれ以前であれば、服用状態は「延長期間中」となる。現時点の日付が、服用完了日に延長期間を加えたものより後であれば、服用状態は「服用完了」となる。図４は、現時点が２００７年２月１２日である場合の例を示す。
【００２２】
「返答状態」は、該当の緊急安全性情報に対する、該当の患者との連絡の状況を表す。緊急安全性情報の連絡に対して、すでにその患者からの返答が受信されている場合、返答状態は「返答あり」となる。返答がまだ受信されておらず、かつ、患者への連絡がまだ再送信されていない場合、返答状態は「返答なし」となる。返答がまだ受信されておらず、かつ、患者への連絡がすでに再送信されている場合、返答状態は「返答なし（再送信済み）」となる。
【００２３】
以上のように構成される安全性情報サーバ１０における処理の流れを、図５および図６のフローチャートを用いて説明する。
図５は、データ抽出部３および緊急安全性情報出力部８が、緊急安全性情報の入力を受けてこれを配信する際の処理の流れを説明するフローチャートである。この処理は、安全性情報サーバ１０の使用者が、データ入力部１を介して緊急安全性情報を入力することによって開始される。
【００２４】
まず、データ抽出部３は、緊急安全性情報を入力として受け取り、これを緊急安全性情報データベース２ａに格納する（ステップＳ１）。この入力は、緊急安全性情報ごと、すなわち緊急安全性情報データベース２ａの行ごとになされる。たとえば、図２の行Ｒ１のすべての項目を入力として受け取ると、データ抽出部３はステップＳ１を終了する。ただし、変形例として、複数の行の入力を同時に受け付けてもよい。
【００２５】
次に、データ抽出部３は、ステップＳ１での入力内容に基づいて、緊急安全性情報の対象として該当する患者に関する情報を抽出し、患者サーチ結果データベース２ｃに格納する（ステップＳ２）。
ここで、データ抽出部３は、入力された医薬品名、たとえば「Ａ錠１００ｍｇ」を使用して、薬剤服用情報データベース２ｂを検索し、これと同一の処方内容を持つ行を抽出する。この場合、患者Ａおよび患者Ｃに関する情報が抽出されることになる。なお、この検索には、医薬品に関する他の情報、たとえば薬価コード等が用いられてもよい。
さらに、データ抽出部３は、緊急度を緊急安全性情報データベース２ａから取得し、患者名、調剤日、処方内容および服用完了日を緊急安全性情報データベース２ａから取得する。
【００２６】
この際、データ抽出部３は、緊急安全性情報データベース２ａの「延長期間」と、薬剤服用情報データベース２ｂの「調剤日」および「日数」とに基づいて、患者ごとに「服用状態」を判定する。この「服用状態」は、図４に関連して説明したように、現時点の日付が服用完了日と同一またはそれ以前であれば「服用中」、服用完了日後かつ延長期間内であれば「延長期間中」、延長期間後であれば「服用完了」となる。この服用状態が、「服用中」または「延長期間中」であれば、その患者は緊急安全性情報の対象として抽出される。また、服用状態が「服用完了」であれば、その患者は抽出されない。
【００２７】
返答状態は「返答なし」を指定し、データ抽出部３はこれらの情報を関連付けて患者サーチ結果データベース２ｃに格納する。
なお、図４の例は、ステップＳ２の処理が、２つの緊急安全性情報、すなわちＡ錠１００ｍｇに関するものとＢ剤に関するものとについて行われた結果を示す。ただし、図４の例では、その後の処理によって「返答状態」が更新されている。
このようにして、データ抽出部３は、薬剤服用情報データベース２ｂを参照して、緊急安全性情報データベース２ａに入力された医薬品名に関連付けられた患者に関する情報を抽出する。
【００２８】
次に、データ抽出部３は、上記ステップＳ２において緊急安全性情報に該当する患者が存在していたかどうかを判定する（ステップＳ３）。
該当する患者が存在しない場合、すなわちステップＳ２において患者サーチ結果データベース２ｃに格納された行がない場合、データ抽出部３はその処理を終了する。
【００２９】
該当する患者が存在する場合、すなわちステップＳ２において患者サーチ結果データベース２ｃに格納された行がある場合、データ抽出部３は該当する患者名を緊急安全性情報出力部８に通知し、緊急安全性情報出力部８はこれに基づいて該当する患者に緊急安全性情報の配信を行う（ステップＳ４）。
ここで、データ抽出部３は、緊急安全性情報データベース２ａに格納される情報名および連絡内容と、該当する患者名とを緊急安全性情報出力部８に受け渡す。
【００３０】
図７は、ステップＳ４で緊急安全性情報出力部８によって送信される電子メールの例である。
図示しないが、安全性情報サーバ１０は患者名とその電子メールアドレスとを関連付ける患者連絡先データベースを記憶手段３０に格納している。緊急安全性情報出力部８はこれを参照して患者の電子メールアドレスを取得し、これを配信される電子メールの宛先（To:フィールド）とする。また、薬剤服用情報データベース２ｂが、患者に対応する電子メールアドレスを含んでもよい。
さらに、緊急安全性情報出力部８は、データ抽出部３から受け取った情報名を電子メールの題名（Subject:フィールド）とし、連絡内容を電子メールの本文とする。また、この電子メールの本文には、患者の返答を促すメッセージが含まれる。返答を促すメッセージは、たとえば、この電子メールの送信元のメールアドレスに、返信として電子メールを送信するよう促す内容と、返信の本文は空白で良い旨を通知する内容とを含む。
このようにして、緊急安全性情報出力部８は、電子メールによって連絡内容を送信する。この送信は、安全性情報サーバ１０のネットワークインタフェースを介して行われる。
【００３１】
このようにして、安全性情報サーバ１０は、緊急安全性情報の入力を受けてこれを配信する。なお、上述のように、安全性情報サーバ１０は、ステップＳ１において使用者からの入力を受け付けると、これに応じて自動的に後続の処理を行う。すなわち、ステップＳ２〜Ｓ４では使用者からの入力を必要としない。
【００３２】
次に、返答受信部７の処理の内容を説明する。とくにフローチャートは示さないが、返答受信部７は、患者からの電子メールを受信すると、患者サーチ結果データベース２ｃの該当する患者の返答状態を「返答あり」に更新する。
この際、返答受信部７は、まず受信した電子メールの送信元アドレスを用いて、上述の患者連絡先データベース（図示せず）を検索し、患者名を取得する。さらに、この患者名を用いて、患者サーチ結果データベース２ｃを検索し、該当する患者に関連する返答状態を更新する。また、この際、返答を受信した日時や返答の内容を、服用指導情報として薬剤服用情報データベース２ｂまたは患者サーチ結果データベース２ｃに格納してもよい。
【００３３】
図６は、緊急安全性情報出力部８が、緊急安全性情報の再配信および警告を行う際の、処理の流れを説明するフローチャートである。この処理は、図５の処理とは独立して、一定期間ごとに、たとえば毎日実行される。また、この処理は、患者サーチ結果データベース２ｃに格納された各行について実行される。
【００３４】
まず、緊急安全性情報出力部８は、患者サーチ結果データベース２ｃを参照し、その行の内容を画面に表示する（ステップＳ１１）。これは、データ表示部５（図１参照）への出力によって行われる。
図８は、ステップＳ１１に関連して表示される画面の例を示す。患者サーチ結果データベース２ｃに格納されている３行、すなわち３人の患者に関する情報が表示されている。
【００３５】
次に、緊急安全性情報出力部８は、患者サーチ結果データベース２ｃの返答状態を参照し、患者から返答があったかどうかを判定する（ステップＳ１２）。返答があった場合、すなわち返答状態が「返答あり」となっている場合には、緊急安全性情報出力部８は、その行の処理を終了する。
返答状態が「返答なし」または「返答なし（再送信済み）」となっている場合、緊急安全性情報出力部８は、現在の日付が返答期限に到達しているかどうかを判定する（ステップＳ１３）。
ここで、返答状態が「返答なし」となっている場合、返答期限は、緊急安全性情報が配信された日付、すなわち図５のステップＳ４が実行された日付に、その緊急安全性情報に関連付けられた緊急度に応じた期間を加えたものである。加えられる期間は、緊急度が「高」の場合は１日、「中」の場合は３日、「低」の場合は７日であるが、この値は適宜変更してもよい。また、この判定は、現在の日付が返答期限に達しているかどうかではなく、返答期限を超過しているかどうかを基準としてもよい。
また、返答状態が「返答なし（再送信済み）」となっている場合、返答期限は、緊急安全性情報が最後に配信された日付、すなわち図６のステップＳ１４（後述）が実行された日付に、上記と同様に緊急度に応じた期間を加えたものである。
【００３６】
ステップＳ１３において、現在の日付が返答期限に到達していない場合、すなわち最後に緊急安全性情報が配信されてから所定期間が経過していない場合、緊急安全性情報出力部８は、その行に関する処理を終了する。
ステップＳ１３において、現在の日付が返答期限に到達している場合、すなわち最後に緊急安全性情報が配信されてから所定期間に渡って患者から返答がない場合、緊急安全性情報出力部８は緊急安全性情報の再配信を行う（ステップＳ１４）。これは、図５のステップＳ４において送信されたものと同一内容の電子メールを、同一の宛先に再び送信することによって行われる。また、ステップＳ１４において、緊急安全性情報出力部８は、その行の返答状態が「返答なし」であれば、これを「返答なし（再送信済み）」と更新する。
【００３７】
次に、緊急安全性情報出力部８は、その行に含まれる患者について警告表示を行う（ステップＳ１５）。図８は、患者Ｂの行についてこの警告表示が行われた例を示す。患者Ｂの行が異なる色で表示され、また、患者Ｂから返答がないことを警告する旨の通知がポップアップメッセージとして表示される。このポップアップメッセージは、安全性情報サーバ１０の使用者の操作を受け付けるＯＫボタンを含み、ＯＫボタンがたとえばマウスクリック等によって操作されると、ポップアップメッセージは画面から消去される。
このようにして、緊急安全性情報出力部８は、患者からの返答の状態に基づいて警告表示を行う。
その後、緊急安全性情報出力部８はその行に関する処理を終了する。
【００３８】
以上のように動作する安全性情報サーバ１０の使用例を、以下に説明する。
まず、緊急安全性情報が発行される以前から、薬剤師または薬局の事務員等は、安全性情報サーバ１０の使用者として、安全性情報サーバ１０の薬剤服用情報データベース２ｂに、調剤ごとの情報を入力する。たとえば図３では、患者Ａ〜Ｄ４人に関する情報が入力され格納されている。
【００３９】
緊急安全性情報が発行されると、使用者は、緊急安全性情報データベース２ａに、図２のような緊急安全性情報を入力する。また、それぞれの緊急安全性情報について、緊急度および延長期間を適宜決定して入力する。
この入力に応じて、データ抽出部３および緊急安全性情報出力部８は図５の処理を実行する。データ抽出部３は、ステップＳ１において入力を受け取り、ステップＳ２において該当する患者を抽出する。図３の患者Ａおよび患者Ｃは、Ａ錠１００ｍｇを処方されており、図２の行Ｒ１の緊急安全性情報に該当する患者として抽出される。図３の患者Ｂは、Ｂ剤を処方されており、図２の行Ｒ２の緊急安全性情報に該当する患者として抽出される。患者Ｄは抽出されない。このようにして、患者サーチ結果データベース２ｃが更新され、その内容は図４のようになる（「返答状態」を除く）。
３人の患者Ａ〜Ｃが抽出されたので、ステップＳ４で、緊急安全性情報出力部８がこれらの患者に向けて図７のような緊急安全性情報の配信を行う。
【００４０】
その後、患者から返答があった場合、返答受信部７がこれを受信し、患者サーチ結果データベース２ｃの「返答状態」を更新する。図４の例では、患者Ａからのみ返答が受信されている。
【００４１】
また、上記の処理とは独立に、緊急安全性情報出力部８は、図６の処理を毎日一回実行する。
ステップＳ１１で、図４の内容を図８のように画面表示する。ここで、たとえば患者Ｂのみが返答期限に達しているとすると、ステップＳ１４で患者Ｂに緊急安全性情報の再配信が行われるとともに、ステップＳ１５で患者Ｂに関する警告表示が行われる。また、再配信が行われた患者についても、その日を基準として新たな返答期限が設けられ、返答を受信するまで繰り返し再配信が行われる。
【００４２】
以上説明されるように、本発明に係る緊急安全性情報の自動配信システムである安全性情報サーバ１０によれば、データ抽出部３および緊急安全性情報出力部８は、緊急安全性情報データベース２ａにデータが入力されること（図５のステップＳ１）に応じて、すなわち緊急安全性情報データベース２ａにデータが入力されるとすぐに、その緊急安全性情報の対象となる患者に、その連絡内容を配信する（図５のステップＳ４）。このため、副作用の改定情報等、緊急を要する情報の配信を即座に行うことができ、医療事故をより確実に防止することができる。
また、緊急安全性情報の配信を自動的に行うので、配信に関する作業を不要とし、薬局での作業効率を向上させることができる。
【００４３】
また、安全性情報サーバ１０は、患者名とその電子メールアドレスとを関連付ける患者連絡先データベースを備えるので、安全性情報サーバ１０の使用者による介入なしで適切な連絡先に情報を配信することができる。
【００４４】
また、安全性情報サーバ１０によれば、緊急安全性情報出力部８は、緊急安全性情報の配信を電子メールによって行うので、配信された緊急安全性情報は即座に患者ＰＣ等に到達し、患者が参照できる状態となる。このため、患者はより早く緊急安全性情報を得ることができ、より確実に医療事故を防止できる。
【００４５】
また、安全性情報サーバ１０によれば、返答受信部７が患者からの電子メールを受信して患者サーチ結果データベース２ｃに記録し、緊急安全性情報出力部８は患者からの返答状態に応じて、安全性情報サーバ１０の使用者に対して警告表示を行う。このため、患者から返答がなく緊急安全性情報の内容を確認したかどうか不明である場合には、薬剤師がすぐにそれを知ることができる。これによって、電話で連絡する等の適切な対応を取ることができるので、より早期に緊急安全性情報を患者に伝達することができる。
【００４６】
上述の実施の形態１において通信ネットワーク４はインターネットであるが、変形例として、通信ネットワーク４はインターネットとは異なる通信ネットワーク、たとえばＦＡＸ網であってもよい。さらに、安全性情報サーバ１０はインターネットおよびＦＡＸ網を含む複数の異なる通信ネットワークに接続されていてもよい。
この場合、安全性情報サーバ１０は、それぞれの通信ネットワークを介して緊急安全性情報を送信する手段を有する。たとえば、通信ネットワーク４がＦＡＸ網を含む場合、緊急安全性情報出力部８はＦＡＸ送信を行う機能を備えるものである。
また、通信ネットワーク４が複数の異なる通信ネットワークを含む場合、安全性情報サーバ１０のデータベース２は、患者とその患者への連絡手段を表す情報とを関連付けて格納する手段をさらに含んでもよい。
【００４７】
また、上述の実施の形態１においては、緊急安全性情報が入力された時点で延長期間がすでに経過している患者には、その緊急安全性情報は配信されない。変形例として、延長期間にかかわらず、過去にその医薬品の調剤を受けた患者全員に対して緊急安全性情報の配信を行うような指定ができるものであってもよい。
これはたとえば、緊急安全性情報データベース２ａの各行について「全患者を対象とするかどうか」を表す項目を追加し、使用者がその項目の値を適宜指定することによって行われる。この場合、データ抽出部３は、図５のステップＳ２〜Ｓ３において服用状態の判定を行わず、該当の医薬品が調剤された患者すべてを緊急安全性情報の対象として抽出する。
【００４８】
上述の実施の形態１では、緊急安全性情報の自動配信システムを構成するデータ入力部１、データベース２、データ抽出部３、データ表示部５、返答受信部７、および緊急安全性情報出力部８は、単一のコンピュータである安全性情報サーバ１０に含まれる。変形例として、これらは複数のコンピュータに分散して設けられてもよい。また、データベース２の内容が複数のコンピュータに分散して設けられてもよい。
たとえば、あるコンピュータがリスト作成サーバとしてデータ抽出部３および患者サーチ結果データベース２ｃを有し、別のコンピュータがデータサーバとして緊急安全性情報データベース２ａ、薬剤服用情報データベース２ｂを有し、さらに別のコンピュータが通信サーバとして返答受信部７および緊急安全性情報出力部８を有し、これら３台のサーバによって緊急安全性情報の自動配信システムが構成されてもよい。
【図面の簡単な説明】
【００４９】
【図１】本発明に係る緊急安全性情報の自動配信システムである、安全性情報サーバを含む構成を示す。
【図２】図１の緊急安全性情報データベースの構成の例を示す。
【図３】図１の薬剤服用情報データベースの構成の例を示す。
【図４】図１の患者サーチ結果データベースの構成の例を示す。
【図５】データ抽出部および緊急安全性情報出力部が、緊急安全性情報の入力を受けてこれを配信する際の処理の流れを説明するフローチャートである。
【図６】緊急安全性情報出力部が、緊急安全性情報の再配信および警告を行う際の処理の流れを説明するフローチャートである。
【図７】図５のステップＳ４で緊急安全性情報出力部によって送信される電子メールの例を示す。
【図８】図６のステップＳ１１に関連して表示される画面の例を示す。
【符号の説明】
【００５０】
１  データ入力部、２ａ  緊急安全性情報データベース、２ｂ  薬剤服用情報データベース、３  データ抽出部、４  通信ネットワーク、７  返答受信部、８  緊急安全性情報出力部、１０  安全性情報サーバ（緊急安全性情報の自動配信システム）。
【図１】
2008234289.tif 000003
【図２】
2008234289.tif 000004
【図３】
2008234289.tif 000005
【図４】
2008234289.tif 000006
【図５】
2008234289.tif 000007
【図６】
2008234289.tif 000008
【図７】
2008234289.tif 000009
【図８】
2008234289.tif 000010